(57)【要約】【課題】ベルトの安全性を確保した上で、サイズ調節を極めて簡単に行え、耐久性に優れた、施錠手段を有するバックルを備えたベルトと、その構成部品であるバックルを提供。【解決手段】バックル本体の軸体に対して基端を枢着した掛止ピンを備え、若しくはバックル本体の枢軸に基端を取着した掛止ピンを備え、前記掛止ピンの先端をベルトの掛止穴へ挿通してベルトを掛止するバックルにおいて、掛止ピンの先端に貫通穴を備え、バックル本体は、前記掛止ピンの貫通穴に対してフックを係脱可能とし、鍵部材でフックを移動させることによって、フックの係脱を切り換えるロック機構を備えたバックル。【選択図】  図４
2010046182.tif 000002
【特許請求の範囲】
【請求項１】
バックル本体の軸体に対して基端を枢着した掛止ピンを備え、若しくはバックル本体の枢軸に基端を取着した掛止ピンを備え、前記掛止ピンの先端をベルトの掛止穴へ挿通してベルトを掛止するバックルにおいて、
掛止ピンの先端に貫通穴を備え、バックル本体は、前記掛止ピンの貫通穴に対してフックを係脱可能とし、鍵部材でフックを移動させることによって、フックの係脱を切り換えるロック機構を備えたことを特徴とするベルト用鍵付きバックル。
【請求項２】
フックはバックル本体内に中心軸を有する回動子に設け、
前記回動子に隣接して該回動子を押圧するストッパを備え、
フックのロック位置に対応し且つストッパとの当接位置となる回動子の当接面に係合部を形成したことを特徴とする請求項１記載のベルト用鍵付きバックル。
【請求項３】
バックルは、掛止ピンの回動方向の移動範囲を規制する掛止ピン回動規制部を備え、バックル本体は、少なくともフックを収納するケース部を備え、ケース部は掛止ピンの先端をケース部内へ導入するための掛止ピン保持部を備えたことを特徴とする請求項１又は２記載のベルト用鍵付きバックル。
【請求項４】
請求項１、２又は３記載のベルト用鍵付きバックルを備えたベルト。
【発明の詳細な説明】
【技術分野】
【０００１】
本発明は、トランク等の旅行鞄に付属するベルト等や旅行鞄の不用意な開放を防止すべく当該旅行鞄に捲着締結する鞄締付ベルト等に用いる、堅牢なバックルで、鍵によってバックルのロック、解除を可能とするベルト用鍵付きバックルと、該バックルを備えたベルトに関する。
【背景技術】
【０００２】
従来、旅行鞄に用いられるベルトは、その用途上、十分な耐久性を有することが求められるが、そればかりでなく、海外渡航等では一時的に税関で旅行鞄を手放さなければならず、安全上、ベルトのバックルに施錠手段を設けることが一般的に行われている。
【０００３】
このような施錠手段を有するバックルを備えたベルトとしては、例えば、ベルトの一端側に固定された雄バックルと、ベルトの他端側に固定され前記雄バックルが挿入可能な雌バックルとからなり、雄バックルの挿入時に両者の係合をロックするとともに当該係合の解除操作をユーザから受け付けるロック部を有するバックル本体と、前記バックル本体の雄バックル又は雌バックルのいずれか一方に開閉自在に設けられ、開状態の際には前記ロック部を露出させ、閉状態の際には前記ロック部を遮蔽するロックカバーと、を含み、前記ロックカバーは、前記本体部と係合することで前記閉状態を維持する状態と、当該ロックカバーの閉状態から開状態への以降を許容する状態と、に切り替え可な係合部材とを備えることを特徴とするロックカバー付きバックル（例えば特許文献１参照。）が公知である。
【０００４】
【特許文献１】特許第３８８０６８９号公報
【発明の開示】
【発明が解決しようとする課題】
【０００５】
上記特許文献１に係る発明は、雄バックルと雌バックルとの係脱を、ロック及び解除する機能を備えたベルトは、不慮のバックルの離脱を防止し、安全性を確保する上で有効である。しかしながら、雄バックルと雌バックルを連結手段とするベルトは、ベルトの長さ調節手段を別に備える必要が有る。即ち、ベルトの中途位置に別途設けられた長さ調節用バックルを片手で把持し、ベルトをバックルから引っ張り出しながら、最適な長さにベルトを調節しなければならない。当該構成は、ベルトの長さ調節に関して、非常に煩わしい欠点がある。
【０００６】
また、このようなバックルは加工上、複雑な形状を呈することもあって、合成樹脂製のものが一般的であるが、合成樹脂は長期間の使用や日照下の環境に対して弱く、劣化や破損を招来しやすい欠点がある。そして、雌雄の一方のバックルの破損が生じると、連結が不可能となりやすいことからも、故障率が高くなる。
【０００７】
本発明は以上の事情に鑑みてなされたものであり、従来の施錠手段を有するバックルを備えたベルトの安全性を確保した上で、ベルトのサイズ調節を極めて簡単に行うことができ、耐久性に優れた、施錠手段を有するバックルを備えたベルトと、その構成部品であるバックルを提供することを、発明が解決しようとする課題とする。
【課題を解決するための手段】
【０００８】
バックル本体の軸体に対して基端を枢着した掛止ピンを備え、若しくはバックル本体の枢軸に基端を取着した掛止ピンを備え、前記掛止ピンの先端をベルトの掛止穴へ挿通してベルトを掛止するバックルにおいて、掛止ピンの先端に貫通穴を備え、バックル本体は、前記掛止ピンの貫通穴に対してフックを係脱可能とし、鍵部材でフックを移動させることによって、フックの係脱を切り換えるロック機構を備えたことを特徴とするバックルを、課題を解決するための手段とするものである。尚、本発明における、「鍵部材でフックを移動させる」とは、直接鍵部材がフックを移動させることのみならず、種々の公知な介在可能な手段を用いて、フックを移動させることを含む。
【発明の効果】
【０００９】
請求項１に係る発明によれば、バックル本体の軸体に対して基端を枢着した掛止ピンを備え、若しくはバックル本体の枢軸に基端を取着した掛止ピンを備え、前記掛止ピンの先端をベルトの掛止穴へ挿通してベルトを掛止するバックルにおいて、掛止ピンの先端に貫通穴を備え、バックル本体は、前記掛止ピンの貫通穴に対してフックを係脱可能とし、鍵部材でフックを移動させることによって、フックの係脱を切り換えるロック機構を備えたことから、従来の施錠手段を有するバックルを備えたベルトの安全性を確保した上で、ベルトの掛止穴に掛止ピンを通すだけで、サイズ調節を極めて簡単に行うことができる。
【００１０】
また、鍵部材を回すだけで、フックが掛止ピンの貫通穴に嵌り込むので、掛止ピンの回動方向への移動を確実に阻止することができ、優れたロック機能を発揮できる。更に、ロックの解除においても、反対方向へ鍵部材を回すだけで容易にフックから掛止ピンを離脱させることができ、実用性に優れたものとすることができる。
【００１１】
請求項２に係る発明によれば、上記請求項１に係る発明を前提として、フックはバックル本体内に中心軸を有する回動子に設け、前記回動子に隣接して該回動子を押圧するストッパを備え、フックのロック位置に対応し且つストッパとの当接位置となる回動子の当接面に係合部を形成したことから、上記請求項１に係る発明の作用効果を奏する上に、フックによる施錠及び開錠を円滑に行うことができ、良好な操作性を得ることができる。
【００１２】
請求項３に係る発明によれば、上記請求項１若しくは請求項２に係る発明を前提として、バックルは、掛止ピンの回動方向の移動範囲を規制する掛止ピン回動規制部を備え、バックル本体は、少なくともフックを収納するケース部を備え、ケース部は掛止ピンの先端をケース部内へ導入するための掛止ピン保持部を備えたことから、上記請求項１若しくは請求項２に係る発明の作用効果を奏する上に、ベルト穴を通した掛止ピンを、掛止ピン保持部へ移動させ、掛止ピン回動規制部に当接し、ロック操作を行うことで、確実に掛止ピンの先端の貫通穴にフックを掛止させることができる。そして、当該掛止状態においては、掛止ピンの先端は、ケース部内に収納されてバックルの外側へ突出しないために、掛止ピンの先端が他物に干渉したり引っ掛かったりしないため、安全性が高く、外観体裁においても優れたものとすることができる。
【００１３】
請求項４に係る発明によれば、上記請求項１、２又は３記載のバックルをベルトに備えることによって、従来の施錠手段を有するバックルを備えたベルトの安全性を確保した上で、ベルトのサイズ調節を極めて簡単に行うことができ、耐久性に優れた、施錠手段を有するバックルを備えたベルトを提供することができる。
【発明を実施するための最良の形態】
【００１４】
本発明は、バックル本体の軸体に対して基端を枢着した掛止ピンを備え、若しくはバックル本体の枢軸に基端を取着した掛止ピンを備え、前記掛止ピンの先端をベルトの掛止穴へ挿通してベルトを掛止するバックルにおいて、
バックルは、掛止ピンの回動方向の移動範囲を規制する掛止ピン回動規制部を備え、バックル本体は、少なくともフックを収納するケース部を備え、ケース部は掛止ピンの先端をケース部内へ導入するための掛止ピン保持部を備え、掛止ピンは、先端に貫通穴を備え、前記フックはバックル本体内に中心軸を有する回動子を設け、前記回動子に隣接して該回動子を押圧するストッパを備え、フックのロック位置に対応し且つストッパとの当接位置となる回動子の当接面に係合部を形成し、前記掛止ピンの貫通穴に対してフックを係脱可能とし、鍵部材でフックを移動させることによって、フックの係脱を切り換えるロック機構を備えたバックルとしたことから、ベルトの掛止穴に掛止ピンを通すだけで、サイズ調節を極めて簡単に行うことができ、掛止ピンの先端は、掛止ピン保持部に導入し、掛止ピン回動規制部に当接することで、ケース部内に収納されてバックルの外側へ突出しないために、掛止ピンの先端が他物に干渉したり引っ掛かったりしないため、安全性が高く、外観体裁においても優れたものとすることができ、
鍵部材を回すだけで、フックが掛止ピンの貫通穴に嵌り込むので、掛止ピンの回動方向への移動を確実に阻止することができ、ロックの解除においても、反対方向へ鍵部材を回すだけで容易にフックから掛止ピンを離脱させることができる、優れたベルト用鍵付きバックルを実現した。
【実施例】
【００１５】
図１は本発明の実施例に係るバックルのバックル本体１を示す（ａ）正面図及び（ｂ）背面図、図２は同実施例に係るバックルのバックル本体１を示す（ａ）平面図及び（ｂ）図１のＡ−Ａ断面図、図３は同実施例に係るバックルの組立状態を示す斜視図、図４は同実施例に係るバックルにおける（ａ）係止ピンとフックが離脱した状態を示す説明図、（ｂ）係止ピンとフックが掛止した状態を示す説明図、図５は同実施例に係るバックルにおける鍵穴回転軸体を示す（ａ）拡大平面図、（ｂ）拡大左側面図、（ｃ）拡大正面図、（ｄ）拡大右側面図、（ｅ）拡大底面図、（ｆ）拡大背面図、図６は同実施例に係るバックルにおけるストッパを示す（ａ）拡大平面図、（ｂ）拡大左側面図、（ｃ）拡大正面図、（ｄ）拡大底面図、図７は同実施例に係るバックルの回動子を示す（ａ）拡大平面図、（ｂ）拡大左側面図、（ｃ）拡大正面図、（ｄ）拡大右側面図、（ｅ）拡大底面図、図８は同実施例に係るバックルの掛止ピンを示す（ａ）拡大平面図、（ｂ）拡大左側面図、（ｃ）拡大正面図、（ｄ）拡大右側面図、（ｅ）拡大底面図、（ｆ）図８（ｃ）の拡大Ｂ−Ｂ断面図、図９は同実施例に係るバックルに使用する鍵部材を示す（ａ）平面図、（ｂ）左側面図、（ｃ）正面図、（ｄ）右側面図、（ｅ）底面図、（ｆ）図９（ｂ）のＣ−Ｃ断面図、図１０は同実施例に係るバックルの蓋体を示す（ａ）平面図、（ｂ）左側面図、（ｃ）正面図、（ｄ）右側面図、（ｅ）背面図、（ｆ）図１０（ｃ）のＤ−Ｄ断面図、（ｇ）図１０（ｃ）のＥ−Ｅ断面図、図１１は同実施例に係る（ａ）バックルを備えたベルトを示す一部省略した正面図、（ｂ）バックルを備えたベルトの掛止状態を示す一部省略した正面図、図１２は同実施例に係るバックルにおける鍵穴回転軸体の鍵穴回転軸体切欠部と鍵部材の第一係止片との関係を示す、（ａ）鍵穴回転軸体と鍵部材と回動子の分解説明図、（ｂ）鍵穴回転軸体と鍵部材と回動子の組立状態説明図、図１３は同実施例に係るバックルにおける鍵穴回転軸体のスリットと第二係止片（鍵穴回転軸体押圧部）との関係、及び、回動子と第二係止片（回動子押圧部）との関係を示す、（ａ）鍵穴回転軸体と鍵部材と回動子の分解説明図、（ｂ）鍵穴回転軸体と鍵部材と回動子の組立状態説明図、図１４は同実施例に係るバックルにおける回動子と鍵穴回転軸体と鍵部材の第二係止片（鍵穴回転軸体押圧部及び回動子押圧部）との関係を示す、係止ピンとフックが離脱した状態を示す説明図とその一部拡大図、図１５は同実施例に係るバックルにおける回動子と鍵穴回転軸体と鍵部材の第二係止片（鍵穴回転軸体押圧部及び回動子押圧部）との関係を示す、係止ピンとフックが掛止した状態を示す説明図とその一部拡大図、図１６は他の実施例に係るバックルの組立状態を示す斜視図である。
【００１６】
本発明の実施例に係るベルト用鍵付きバックルは、軸体１２及びケース部１１を有するバックル本体１と、前記ケース部１１の蓋体と、前記軸体１２に取着した掛止ピン４とからなる。前記ケース部１１の外面には鍵穴を有する。また、ベルト用鍵付きバックルの施錠及び開錠を行うための鍵部材３が付属する。ベルト用鍵付きバックルは、ケース部側の端部がベルト全体の先端（即ち、バックルの先端）となる。以下、各構成につき、詳細に説明する。尚、本実施例ではバックルの軸体１２に、掛止ピンと接触しない状態でベルト帯５を取着する（図１１参照。）。
【００１７】
バックル本体１は、図１（ａ）に示すように、正面視矩形を有する枠体１０の一辺にケース部１１を形成した構成である。バックル本体１は、正面視において、縦約５０ｍｍ程度、幅約７３ｍｍ程度、厚さ約９ｍｍ程度の大きさである。
【００１８】
正面視において、バックル本体１における上下の対向する枠体１０の各中央部間に軸体１２を一体として設けてある。即ち、本実施例では、軸体１２は枠体１０と一体に形成してある。軸体１２は短手方向断面が円形状を有している。軸体１２の長手中央部には、５ｍｍ乃至６ｍｍ程度の幅で小径部１２０を形成してある。軸体１２における小径部１２０の境界部分は段差１２１が形成してある。
【００１９】
掛止ピン４は、図３、図５及び図８に示すように、基端は枢支部４０、先端は自由端部４１として機能するものである。
【００２０】
掛止ピン４の枢支部４０は、前記小径部１２０の外径よりも大きい内径を有し且つ小径部１２０の外径よりも狭幅で開口した形状となる鉤状に形成した構成である。枢支部４０の開口部分へ小径部１２０を圧入することで、軸体１２の小径部１２０に対して掛止ピン４を枢着する。
【００２１】
掛止ピン４の自由端部４１は、バックルの正面視において上下方向（即ち、掛止ピン４の枢支部４０の中心軸と平行する方向）に、貫通穴４２を備える。本実施例では、貫通穴４２の形状は平面視概ね縦３ｍｍ、横４ｍｍ程度の矩形としてある。
【００２２】
尚、掛止ピン４の枢支部４０から自由端部４１へ至る中間位置は、ベルト帯５に設けられるベルト穴５０から掛止ピン４の自由端部４１の突出状態を維持し易くするために、曲線状の外形線で構成してある。
【００２３】
ケース部１１は、図１（ａ）に示すように正面側に鍵穴を形成するための係合穴１１７、ガイド溝穴１１８を有し、図１（ｂ）に示すように背面側に開口し、前記蓋体２で閉蓋する構成である。ケース部１１は、ケース部形成凹部１１０と、該ケース部形成凹部１１０の形成に伴って周囲に形成されるケース部外周壁１１０ａを備える。ケース部１１のうち、掛止ピン４の自由端部４１と干渉する位置には、前記ケース部外周壁１１０ａ及びケース底面１１６の一部を連続して切欠した掛止ピン保持部１１５を形成してある。
【００２４】
また、前記ケース部形成凹部１１０には、図３及び図４に示すように、フック１４を有する回動子１３、コイルばね１５を付勢手段とするストッパ１６、鍵穴回転軸体１７を配置する。図１（ｂ）に示すように、ケース部形成凹部１１０の幅方向中央位置には該ケース部形成凹部１１０のケース底面１１６を貫通する直径７ｍｍ程度の係合穴１１７と幅２．５ｍｍ程度のガイド溝穴１１８を連続一体として形成してある。
【００２５】
係合穴１１７とガイド溝穴１１８の周縁には、係合穴１１７と同一中心軸としてケース部形成凹部１１０における厚さよりも薄厚の座部１１２を形成してある。即ち、座部１１２はケース部形成凹部１１０から更に、凹部を形成することによって形成する。
【００２６】
ケース部形成凹部１１０内には、図１乃至図３に示すように、ケース底面１１６から約２ｍｍ程度の高さでガイド壁１１４を形成している。ガイド壁１１４は、回動子１３を規制案内する回動子用ガイド壁１１４ａ、１１４ｂと、ストッパ１６の配置位置の周囲に形成されるストッパガイド壁１１４ｃとがある。ストッパガイド壁１１４ｃは、コイルばね１５を付勢手段とするストッパ１６の三方を囲んだ構成とし、回動子用ガイド壁１１４ｂの一部と連続一体としてある。
【００２７】
また、本実施例では、ケース部１１内の三箇所に、蓋体２との連結手段となるかしめ脚１８ａを設けてある。
【００２８】
本実施例で示す回動子１３は、図３及び図７に示すように、後記鍵穴回転軸体１７が摺動可能に嵌り込む内径８ｍｍ程度の回動子中心穴１３０を有し且つ外径１４ｍｍ程度となる厚さ１．５ｍｍ程度の円形板状で、その一部を約６ｍｍ程度の幅で切欠部分１３４を形成して略Ｃ字形とした内側板１３１を有し、該内側板１３１の外周の一部から外方へ連続する延設部１３２と該延設部１３２の先端側から前記回動子中心穴１３０と同一中心軸となるフック１４を、周方向へ延設した構成である。ここで、回動子１３の内側板１３１のうち、Ｃ字状の開口によって形成される、対向する側端部分を夫々、側端部１３６、１３７とする。
【００２９】
前記内側板１３１の内側板外周面１３５には、フック１４の施錠状態（ロック状態）と開錠状態（ロック解除状態）におけるフック１４の位置決めを行うための、ストッパ１６との係合部となる二つの係合凹部１３３ａ、１３３ｂを設けてある。ここで、二つの係合凹部１３３ａ、１３３ｂのうち、開錠状態を位置決めするものを係合凹部１３３ａとし、施錠状態を位置決めするものを係合凹部１３３ｂとする。
【００３０】
これらの係合凹部１３３ａ、１３３ｂは、ストッパ１６が当該係合凹部１３３ａ、１３３ｂから離脱不能とならないように、内側板１３１の内側板外周面１３５からなだらかな曲面で連続して形成してある。そして、所定以上のトルクで回動子１３が回動することで、係合凹部１３３ａ、１３３ｂとストッパ１６の係合を解除できる。尚、所定以上の回転トルクとは、概ね、ストッパ１６による押圧による負荷と摩擦力に抗して、使用者が鍵部材３を鍵穴へ差込んで、鍵部材３の操作で回動子１３を回動できる（開錠できる）程度でよい趣旨である。
【００３１】
鍵穴回転軸体１７は、図５に示すように、概ね円筒形状を有し、中央穴１７０から連続して長手にスリット１７１を有する。この中央穴１７０とスリット１７１は、実質的な鍵穴を構成する。外側面は長手方向に径サイズの異なる、正面側軸体開口部１７４、軸係合部１７２、背面側軸体開口部１７３が連続した構成である。
【００３２】
前記鍵穴回転軸体１７の軸係合部１７２は、最大外径８ｍｍ程度である。また、鍵穴回転軸体１７の正面側軸体開口部１７４は、前記軸係合部１７２よりも小径となる最大外径６ｍｍ乃至７ｍｍ程度であり、且つ、鍵部材３の後記第一係止片３２０が嵌合する軸体切欠部１７５を有する。正面視において、スリット１７１と切欠部１７５とのなす角は、本実施例の場合、図５（ａ）に示すように、概ね１３５°程度としてある。尚、正面側軸体開口部１７４の縁部分は、角を落として丸みを帯びた形状とすることで、外観体裁を良好とし、鍵部材３との接触による相互の磨耗を抑制する。
【００３３】
背面側軸体開口部１７３は、鍵穴回転軸体１７中、外径が最小径（外径５ｍｍ程度）である。
【００３４】
ストッパ１６は、図６に示すように、長さ７ｍｍ程度、最大幅４ｍｍ程度、厚さ１．５ｍｍ程度の金属片であり、前記回動子１３の係合凹部１３３の形状に対応した丸みを帯びた先端を備え、該ストッパ１６の中央部１６０からストッパ１６の後端部１６１にかけてはコイルばね１５の内側に嵌合する狭幅（３ｍｍ程度）に形成し、中央部１６０から先端部１６２にかけては、広幅（４ｍｍ程度）に形成してある。
【００３５】
狭幅部分と広幅部分との境界に形成されるストッパ段差１６３によって、後端部１６１に嵌合したコイルばね１５が先端部１６２側へ抜けるのを防止し、ストッパ１６のバネ弾性力を確保する。
【００３６】
蓋体２は、図１０に示すように、外形輪郭がケース部形成凹部１１０に対応した形状としてある。蓋体内面２１には、前記鍵穴回転軸体１７の背面側軸体開口部１７３が挿通可能となる蓋側軸穴２０を形成してある。
【００３７】
また、蓋側内面２１には、前記コイルばね１５を配置可能とするためのバネ収納用凹部２２と、掛止ピン４の先端の当接位置を規制する掛止ピン当接部２３を形成してある。更に、本実施例では、蓋体２をケース部１１に固定するための連結用貫通穴２４を、前記ケース部１１のかしめ脚１８ａに対応する三箇所に設けてある。
【００３８】
本発明の実施例に係る鍵部材３は、図９に示すように、円柱状の鍵本体３０と、該鍵本体３０の一端に当該鍵本体３０の中心軸と同一軸線上に延設される鍵軸部３１と、鍵軸部３１の側周面に形成される複数の係止片からなる鍵パターン形成部３２と、前記鍵本体３０の他端に形成される摘み部３３とからなる。
【００３９】
本実施例では、前記鍵パターン形成部３２は、鍵軸部３１の基端側から先端側へ順に、第一係止片３２０、第二係止片３２１を形成している。また、本実施例では、鍵本体３０の中心軸を基準として、第一係止片３２０は第二係止片３２１と約１３５°の角度に配置した位置関係としてある。この角度は、前記した鍵穴回転軸体１７のスリット１７１と切欠部１７５のなす角度に一致させるためである。
【００４０】
第二係止片３２１は、鍵軸部３１との結合部側を鍵穴回転軸体押圧部３２１ａとし、該鍵穴回転軸体押圧部３２１ａに連続する軸径方向外側に回動子押圧部３２１ｂを一体として形成した構成である。
【００４１】
尚、鍵軸部３１における第一係止片３２０と第二係止片３２１との間には間隙３２２を形成してある。この間隙３２２は、鍵部材３を鍵穴に差し込んだ状態において、バックル本体１のケース部形成凹部１１０のケース底面１１６に形成した係合穴１１７の縁部に鍵部材３の鍵パターン形成部３２が当接すると、鍵部材３が回動できなくなるため、これを避けるべく設けたものである。
【００４２】
前記ケース部１１のケース部形成凹部１１０に形成した係合穴１１７に、前記鍵穴回転軸体１７の一端を差込み、係合穴周縁の座部１１２と鍵穴回転軸体１７における軸係合部１７２の端面１７２ａとを当接する（図３参照。）。この際に、ケース部１１のガイド溝穴１１８と鍵穴回転軸体１７のスリット１７１の位置を合わせることによって、図４に示すように、鍵穴回転軸体１７の中央穴１７０及びスリット１７１とケース部１１のガイド溝穴１１８とが繋がって、正面側から鍵部材３を差込み可能な鍵穴（図１１（ａ）参照。）を形成する。
【００４３】
鍵部材３の鍵穴に対する差込時には、鍵穴回転軸体１７の中央穴１７０は鍵部材３の鍵軸部３１に合わせ、鍵穴回転軸体１７のスリット１７１とガイド溝穴１１８は第二係止片３２１に合わせることで、差込むことができる。
【００４４】
鍵部材３の鍵穴に対する回転時には、図１２に示すように、鍵部材３の第一係止片３２０は、鍵穴回転軸体１７の軸体切欠部１７５と嵌合する。また、図１３に示すように、鍵部材３の第二係止片３２１のうち、鍵穴回転軸体押圧部３２１ａは鍵穴回転軸体１７に対応する。また、回動子押圧部３２１ｂは回動子１３に対応する。
【００４５】
鍵穴回転軸体１７の最大径を有する軸係合部１７２の外周に合わせて、回動子１３を配置する。回動子１３と鍵穴回転軸体１７の外周とは摺動可能であり、夫々が独立して回動可能となる。回動子１３の内側板外周面１３５は、回動子用ガイド壁１１４ａに案内され、回動子１３に一体に形成されたフック１４のフック外周面１４０は、回動子用ガイド壁１１４ｂに案内される状態となる。
【００４６】
ストッパ１６の配置位置におけるケース底面１１６には更にコイルばね１５を規制するためのコイルばね規制凹部１１１を形成してある。ストッパ１６に嵌合したコイルばね１５の後端はストッパガイド壁１１４ｃに当接し、該コイルばね１５の先端はコイルばね規制凹部１１１の壁部に当接した構成となる。この状態においても、コイルばね１５はバネ弾性力によって、ストッパ１６を回動子１３へ押圧した状態を維持している。
【００４７】
次に、鍵部材３の操作に伴うバックルのロック機構の動きについて説明する。
先ず、掛止ピン４とフック１４が解除された状態では、図４（ａ）に示すように、鍵穴回転軸体１７のスリット１７１と、ケース部１１のガイド溝穴１１８と、回動子の切欠部分１３４が一致している。このため、鍵部材３を外部から鍵穴へ差し込むことが可能な状態である。
【００４８】
また、コイルばね１５によって付勢されたストッパ１６は、回動子１３の係合凹部１３３ａと係合している。フック１４は掛止ピン保持部１１５にかからず、ケース部１１内に収納された状態である。掛止ピン４は軸体１２に対して回動可能な状態である。
【００４９】
ベルトの装着を行う際には、当該状態において、ベルト帯５で旅行鞄等を締縛し、該ベルト帯５に列設されたベルト穴５０に対して掛止ピン４を差込む操作を行う。掛止ピン４は、上記したように、掛止ピン４の枢支部４０から自由端部４１へ至る中間位置は、曲線状の外形線で構成してあるため、ベルト帯５は掛止ピン４と枠体１０に添って、良好に保持される。
【００５０】
掛止ピン４の自由端部４１を掛止ピン保持部１１５に導入し、蓋体２の蓋体内面２１に当接する（図４（ａ）参照。）。ここで、蓋体内面２１は、図１０に示すように、掛止ピン回動規制部２３を備え、掛止ピン４の回動を規制し、図３に示すように、掛止ピン４の自由端部４１に形成した貫通穴４２に対してフック１４が挿通するよう位置決めする。
【００５１】
鍵部材３を鍵穴に差し込むと、鍵部材３の第一係止片３２０は、鍵穴回転軸体１７の軸体切欠部１７５と嵌合する。図１４（ａ）に示すように、鍵部材３の第二係止片３２１のうち、鍵穴回転軸体押圧部３２１ａは鍵穴回転軸体１７に対応する位置となる。また、回動子押圧部３２１ｂは回動子１３に対応する位置となる。
【００５２】
当該状態において、鍵部材３を右回りに回動させると、鍵部材３の第二係止片３２１のうち、鍵穴回転軸体押圧部３２１ａは鍵穴回転軸体１７に当接して、第一係止片３２０とともに、鍵穴回転軸体１７を軸中心に回動させる。また、回動子押圧部３２１ｂは回動子１３の側端部１３６に当接して、該回動子１３を軸中心に回動させる。
【００５３】
回動子１３に一体に設けられたフック１４は、回動子用ガイド壁１１４ａに沿いながら回動し、掛止ピン保持部１１５内に案内された掛止ピン４の貫通穴４２へ向かって移動する。また、回動子１３の内側板１３１の内側板外周面１３５は回動子用ガイド壁１１４ｂに沿いながら回動する。回動子１３の回動に伴って、ストッパ１６は回動子１３の係合凹部１３３ａから離脱する。
【００５４】
掛止ピン保持部１１５内において掛止ピン４の貫通穴４２にフック１４が嵌り込み、ストッパ１６は、回動子１３の施錠状態位置決め用の係合凹部１３３ｂと係合する。以上によって、図１４（ａ）に示すように、フック１４と掛止ピン４がロックされた状態となる。
【００５５】
鍵部材３を左回りで４５°回動させることで、鍵穴回転軸体１７を共動させ、鍵穴回転軸体１７の中央穴１７０及びスリット１７１がケース部１１のガイド溝穴１１８と一致した状態とすることで、鍵部材３を鍵穴から取り外すことができる。
【００５６】
鍵部材３を鍵穴に差し込んだ状態から、左回りに回動させると、鍵部材３の第二係止片３２１のうち、鍵穴回転軸体押圧部３２１ａは鍵穴回転軸体１７に当接して、第一係止片３２０とともに、鍵穴回転軸体１７を軸中心に回動させる。また、回動子押圧部３２１ｂは回動子１３の側端部１３７（前記側端部１３６と対向する側端部１３７）に当接して、該回動子１３を軸中心に回動させる。
【００５７】
回動に伴って、回動子１３に一体に設けられたフック１４は、回動子用ガイド壁１１４ａに沿いながら、掛止ピン保持部１１５から離脱する。また、回動子１３の内側板１３１の内側板外周面１３５は回動子用ガイド壁１１４ｂに沿いながら回動する。回動子１３の回動に伴って、ストッパ１６は回動子１３の係合凹部１３３ｂから離脱する。
【００５８】
ストッパ１６は、回動子１３の施錠状態位置決め用の係合凹部１３３ａと係合する。以上によって、フック１４と掛止ピン４がロックされた状態となる。
【００５９】
鍵部材３を右回りで４５°回動させることで、鍵穴回転軸体１７を共動させ、鍵穴回転軸体１７の中央穴１７０及びスリット１７１がケース部１１のガイド溝穴１１８と一致した状態とすることで、鍵部材３を鍵穴から取り外すことができる。
【００６０】
尚、掛止ピン４の貫通穴の大きさ、形状は実施例にかかわらず、フック１４の係脱が確保され、且つ、掛止ピン４の強度を損なわない範囲において、自由に設定できる。
【００６１】
また、上記実施例においては、正面視において、スリット１７１と鍵穴回転軸体切欠部１７５とのなす角、及びこれに対応する鍵部材３の第一係止片３２０、第二係止片３２１のなす角は、本実施例の場合、概ね１３５°程度としたが、これらの角度は、鍵パターン形成部３２の形状やパターンに応じて、適宜変更できる。
【００６２】
更に、上記実施例においては、バックル本体１における軸体１２は枠体１０と一体に形成しているが、他の実施例として、枠体１０の上下の枠の対向する位置に夫々軸穴（貫通穴であっても、貫通穴でなくてもよい。）を形成し、軸穴間を通る軸体を枢軸として設けることができる。当該構成とすることによって、軸体と掛止ピンを一体に設けることもできる。また、上記実施例では、回動子１３に対してフック１４を一体に形成しているが、別体のものを連結することもできる。
【００６３】
また、上記実施例においては、バックル本体１と蓋体２との取着をかしめ脚１８ａを連結用貫通穴２４に通してかしめ脚１８ａを潰して連結するものとしたが、本発明は当該構成に限るものではなく、例えば、図１６に示すように、雄螺子６及び雌螺子１８ｂを利用する等、種々の公知の連結手段を使用することができる。
【００６４】
更に、本発明は、施錠、開錠の機構に関して、上記実施例に限定するものではない。即ち、本発明は、バックル本体１の軸体１２に対して基端を枢着した掛止ピン４を備え、若しくはバックル本体１の枢軸に基端を取着した掛止ピン４を備え、前記掛止ピン４の先端をベルト帯５の掛止穴５０へ挿通してベルト帯５を掛止するバックルにおいて、掛止ピン４の先端に貫通穴を備え、バックル本体１は、前記掛止ピンの貫通穴に対してフック１４を係脱可能とし、鍵部材でフックを移動させることによって、フック１４の係脱を切り換えるロック機構を備えるものであればよく、フック１４と係止ピン４の先端の貫通穴を備えることでロックするものであればよい趣旨である。貫通穴の形状は特に限定しないが、フック１４が係脱可能となり、掛止ピン４の破損が生じない強度が保たれていれば足りる。
【００６５】
従って、本発明において、施錠手段としてフック１４と係止ピン４の先端の貫通穴４１をロックする構成を備えていれば、上記実施例に開示したものの他、種々の公知の構成を、付加することができる。例えば、本実施例のようなシリンダ錠のみならず、ダイヤル錠や、磁力を用いる電子錠等を使用することもできる。また、本発明は、例えば、鍵穴は、ＴＳＡ（米国連邦航空省運輸保安局）認可の形状を有する鍵穴とし、これに対応する鍵部材３を用いた構成とし、海外渡航において鞄内の検査時における施錠手段の破壊を免れるものも含む。
【図面の簡単な説明】
【００６６】
【図１】本発明の実施例に係るバックルのバックル本体を示す（ａ）正面図及び（ｂ）背面図。
【図２】本発明の実施例に係るバックルのバックル本体を示す（ａ）平面図及び（ｂ）Ａ−Ａ断面図。
【図３】本発明の実施例に係るバックルの組立状態を示す斜視図。
【図４】本発明の実施例に係るバックルにおける（ａ）係止ピンとフックが離脱した状態を示す説明図、（ｂ）係止ピンとフックが掛止した状態を示す説明図。
【図５】本発明の実施例に係るバックルにおける鍵穴回転軸体を示す（ａ）拡大平面図、（ｂ）拡大左側面図、（ｃ）拡大正面図、（ｄ）拡大右側面図、（ｅ）拡大底面図、（ｆ）拡大背面図。
【図６】本発明の実施例に係るバックルにおけるストッパを示す（ａ）拡大平面図、（ｂ）拡大左側面図、（ｃ）拡大正面図、（ｄ）拡大底面図。
【図７】本発明の実施例に係るバックルの回動子を示す（ａ）拡大平面図、（ｂ）拡大左側面図、（ｃ）拡大正面図、（ｄ）拡大右側面図、（ｅ）拡大底面図。
【図８】本発明の実施例に係るバックルの掛止ピンを示す（ａ）拡大平面図、（ｂ）拡大左側面図、（ｃ）拡大正面図、（ｄ）拡大右側面図、（ｅ）拡大底面図、（ｆ）拡大Ｂ−Ｂ断面図。
【図９】本発明の実施例に係るバックルに使用する鍵部材を示す（ａ）平面図、（ｂ）左側面図、（ｃ）正面図、（ｄ）右側面図、（ｅ）底面図、（ｆ）Ｃ−Ｃ断面図。
【図１０】本発明の実施例に係るバックルの蓋体を示す（ａ）平面図、（ｂ）左側面図、（ｃ）正面図、（ｄ）右側面図、（ｅ）背面図、（ｆ）Ｄ−Ｄ断面図、（ｇ）Ｅ−Ｅ断面図。
【図１１】本発明の実施例に係る（ａ）バックルを備えたベルトを示す一部省略した正面図、（ｂ）バックルを備えたベルトの掛止状態を示す一部省略した正面図。
【図１２】本発明の実施例に係るバックルにおける鍵穴回転軸体の鍵穴回転軸体切欠部と鍵部材の第一係止片との関係を示す、（ａ）鍵穴回転軸体と鍵部材と回動子の分解説明図、（ｂ）鍵穴回転軸体と鍵部材と回動子の組立状態説明図。
【図１３】本発明の実施例に係るバックルにおける鍵穴回転軸体のスリットと第二係止片（鍵穴回転軸体押圧部）との関係、及び、回動子と第二係止片（回動子押圧部）との関係を示す、（ａ）鍵穴回転軸体と鍵部材と回動子の分解説明図、（ｂ）鍵穴回転軸体と鍵部材と回動子の組立状態説明図。
【図１４】本発明の実施例に係るバックルにおける回動子と鍵穴回転軸体と鍵部材の第二係止片（鍵穴回転軸体押圧部及び回動子押圧部）との関係を示す、係止ピンとフックが離脱した状態を示す説明図。
【図１５】本発明の実施例に係るバックルにおける回動子と鍵穴回転軸体と鍵部材の第二係止片（鍵穴回転軸体押圧部及び回動子押圧部）との関係を示す、係止ピンとフックが掛止した状態を示す説明図。
【図１６】本発明の他の実施例に係るバックルの組立状態を示す斜視図。
【符号の説明】
【００６７】
１        バックル本体
１０      枠体
１１      ケース部
１１０    ケース部形成凹部
１１０ａ  ケース部外周壁
１１１    コイルばね規制凹部
１１２    座部
１１４    ガイド壁
１１４ａ  回動子用ガイド壁
１１４ｂ  回動子用ガイド壁
１１４ｃ  ストッパガイド壁
１１５    掛止ピン保持部
１１６    ケース底面
１１７    係合穴
１１８    ガイド溝穴
１２      軸体
１２０    小径部
１２１    段差
１３      回動子
１３０    回動子中心穴
１３１    内側板
１３２    延設部
１３３ａ  係合凹部（開錠状態位置決め用）
１３３ｂ  係合凹部（施錠状態位置決め用）
１３４    切欠部分
１３５    内側板外周面
１４      フック
１４０    フック外周面
１５      コイルばね
１６      ストッパ
１６０    中央部
１６１    後端部
１６２    先端部
１６３    ストッパ段差
１７      鍵穴回転軸体
１７０    中央穴
１７１    スリット
１７２    軸係合部
１７２ａ  端面
１７３    背面側軸体開口部
１７４    正面側軸体開口部
１７５    鍵穴回転軸体切欠部
１８ａ    かしめ脚
１８ｂ    雌螺子
２        蓋体
２０      蓋側軸穴
２１      蓋体内面
２２      バネ収納用凹部
２３      掛止ピン当接部
２４      連結用貫通穴
３        鍵部材
３０      鍵本体
３１      鍵軸部
３２      鍵パターン形成部
３２０    第一係止片
３２１    第二係止片
３２１ａ  鍵穴回転軸体押圧部
３２１ｂ  回動子押圧部
３２２    間隙
３３      摘み部
４        掛止ピン
４０      枢支部
４１      自由端部
４２      貫通穴
５        ベルト帯
５０      ベルト穴
６        雄螺子
【図１】
2010046182.tif 000003
【図２】
2010046182.tif 000004
【図３】
2010046182.tif 000005
【図４】
2010046182.tif 000006
【図５】
2010046182.tif 000007
【図６】
2010046182.tif 000008
【図７】
2010046182.tif 000009
【図８】
2010046182.tif 000010
【図９】
2010046182.tif 000011
【図１０】
2010046182.tif 000012
【図１１】
2010046182.tif 000013
【図１２】
2010046182.tif 000014
【図１３】
2010046182.tif 000015
【図１４】
2010046182.tif 000016
【図１５】
2010046182.tif 000017
【図１６】
2010046182.tif 000018